(57)【要約】      （修正有）【課題】二条のマスキングテープが交叉することで形成されるコーナー部分のマスキングが好適に行なえるとともに、明瞭な見切りラインと綺麗な塗装面が得られるコーナー用マスキングピースセットを提供する。【解決手段】被塗装面に塗料が付着しないように、被塗装面をマスキングテープにより被覆して塗装するために使用するもので、二方向から二条のマスキングテープが交叉することで形成されるコーナー部分の形状とほぼ同等の大きさ及び形状を有し、裏面に接着手段が形成されているマスキングピース２１と、塗装作業の作業者が、作業着のポケット類に折り曲げることなく収めて作業中に使用可能な大きさ及び形状を有し、かつ、上記マスキングピースを複数列、複数行剥離可能に貼り付けるための、剥離面２４をその一面に有する台紙２２とから構成されたコーナー用マスキングピースセット。【選択図】図１
0003188216.tif 000002
【実用新案登録請求の範囲】
【請求項１】
被塗装面に塗料が付着しないように、被塗装面をマスキングテープにより被覆して塗装するために使用するもので、
二方向から二条のマスキングテープが交叉することで形成されるコーナー部分の形状とほぼ同等の大きさ及び形状を有し、裏面に接着手段が形成されているマスキングピースと、塗装作業の作業者が、作業着のポケット類に折り曲げることなく収めて作業中に使用可能な大きさ及び形状を有するとともに、上記マスキングピースを複数列、複数行剥離可能に貼り付けるための、剥離面をその一面に有する台紙とから構成された
コーナー用マスキングピースセット。
【請求項２】
１個のマスキングピースは３３×３３ｍｍの大きさの正方形、１個の台紙は上記マスキングピースを少なくとも２列、かつ、３行以上貼り付けるように幅約１００ｍｍ以下、長さ約１５０ｍｍ以下の大きさの長方形に設定されている請求項１記載のコーナー用マスキングピースセット。
【考案の詳細な説明】
【技術分野】
【０００１】
本考案は、被塗装面に塗料が付着しないように、被塗装面をマスキングテープにより被覆して塗装するために使用するコーナー用マスキングピースセットに関するものである。
【背景技術】
【０００２】
例えば、ドアや窓の枠などの塗装工事に際して、従来は、マスキングテープ或いは養生テープなどと称する巻きテープとシートを用い、窓ガラスや窓枠等に対して養生と称する段取りを行ない保護した上で、外壁等の塗装作業を行なっている。マスキングテープを貼り付ける場合、水平方向や垂直方向に対する作業は容易であり良好な付着状況も得られるが、コーナー部分ではテープを折り込んで作業することが多く、良好な付着状況が得られないという問題があった。
【０００３】
図３を参照して説明すると、１１は窓枠１０の垂直部分、１２は同じく水平部分、１３はコーナー部分、１４はマスキングテープを示している。作業者が垂直部分１１から水平部分１２へマスキングテープ１４を貼り付ける場合、折り曲げ線１５をコーナー部分１３の対角線方向に設定し（図３Ｂ）、マスキングテープ１４を、一旦枠外方へ９０度折り曲げ（図３Ｃ）、そのあとで折り返し線１６にて水平部分１２の方向へ折り返すようにする作業（図３Ｄ）が一般的に行なわれている（１７は粘着面を示す。）。
【０００４】
この折り込み作業におけるコーナー部分１３でのテープ付着状況を見ると、図３Ｄに断面図で示したように、最初の折り曲げ線１５と次の折り返し線１６の間はマスキングテープ１４の粘着面１７同士は接着するがコーナー部分１３には接着しない。また、水平部分１２での付着状況を見ると、折り曲げ線１５よりも先の部分が接着するものの、接着しているのはコーナー部分１３の半分に過ぎず、コーナー部分１３の残りの半分の三角形の領域１８では浮いてしまい、付着力が不足する。
【０００５】
また、この折り込み作業自体を完全に行えない技量の作業者もおり、そのような作業者による不完全な折り込み作業の結果、不整な折り込みがなされ、折り込み部分にシワができたりすることもある。そのため、効果的なマスキングが行なえない場合には、コーナーの綺麗な塗装ラインが得られないばかりか、塗装作業後に塗装ダレを除去するなどの余分な手間が必要となった。
【０００６】
一方、先行技術を調査したところ、特表２０１０−５１３６８８号が見出された。同号の発明はマスキング物品そのもので、扉ヒンジと角部の両方を遮蔽するのに用いられる。このマスキング物品は扉ヒンジの形状に適合させた形態を有し、かつ、マスキング物品を貼り付けるときの取り扱いを容易にしたものであり、二条のマスキングテープが交叉することで形成されるコーナー部分の処理に示唆を与えるものではない。
【０００７】
【特許文献１】特表２０１０−５１３６８８号
【考案の開示】
【考案が解決しようとする課題】
【０００８】
本考案は前記の点に鑑みなされたもので、その課題は、二条のマスキングテープが交叉することで形成されるコーナー部分のマスキングを好適に行なうことができ、明瞭な見切りラインと綺麗な塗装面が得られるようにすることである。また、本考案の他の課題は、熟練工でなくても、コーナー部分の高品質な塗装仕上がりが得られ、かつまた、手間を削減し大幅な工期短縮が図れるようにすることである。
【課題を解決するための手段】
【０００９】
前記の課題を解決するため、本考案は、被塗装面に塗料が付着しないように、被塗装面をマスキングテープにより被覆して塗装するために使用するもので、二方向から二条のマスキングテープが交叉することで形成されるコーナー部分の形状とほぼ同等の大きさ及び形状を有し、裏面に接着手段が形成されているマスキングピースと、塗装作業の作業者が、作業着のポケット類に折り曲げることなく収めて作業中に使用可能な大きさ及び形状を有するとともに、上記マスキングピースを複数列、複数行剥離可能に貼り付けるための、剥離面をその一面に有する台紙とから構成するという手段を講じたものである。
【００１０】
本考案は、コーナー部分の形状とほぼ同等の大きさ及び形状を有し、裏面に接着手段が形成されているマスキングピースと、そのマスキングピースを複数個貼り付ける台紙とから成るコーナー用マスキングピースのセットである。コーナー部分にマスキングピースを貼り付けることにより、テープを折り込んで作業する場合に生じた付着力不足や折りジワの発生を防止することと目的としたものである。
【００１１】
個々のマスキングピースは二方向から二条のマスキングテープが交叉することで形成されるコーナー部分の形状とほぼ同等の大きさ及び形状を有し、これを貼り付ける台紙は、塗装作業の作業者が、作業着のポケット類に折り曲げることなく収めて作業中に使用可能な大きさ及び形状を有する。そして、その剥離面に上記マスキングピースを貼り付け、複数列、複数行配列するものである。
【００１２】
本考案に係るコーナー用マスキングピースセットとして、１個のマスキングピースが３３×３３ｍｍの大きさの正方形、１個の台紙は上記マスキングピースを少なくとも２列、かつ、３行以上貼り付けるように幅約１００ｍｍ以下、長さ約１５０ｍｍ以下の大きさの長方形に設定されているものは一つの望ましい形態である。
【考案の効果】
【００１３】
本考案は以上のように構成され、かつ、作用するものであるから、二条のマスキングテープが交叉することで形成されるコーナー部分に、マスキングピースを貼り付け、マスキングテープにより被塗装面に塗料が付着しないように被覆し、効果的なマスキングを行なうことができ、明瞭な見切りラインと綺麗な塗装面が得られるようになるという効果を奏する。また、本考案によれば、熟練工でなくても、コーナー部分の高品質な塗装仕上がりが得られ、かつまた、手間を削減し大幅な工期短縮が図れるという効果を奏する。
【考案を実施するための最良の形態】
【００１４】
以下図示の実施形態を参照して本考案をより詳細に説明する。図１に本考案に係るコーナー用マスキングピースセット２０の一例を示す。なお、実施形態の説明において、図３と同じ構成部分については同じ符号を援用し、詳細な説明に代える。
【００１５】
上記マスキングピースセット２０は、二方向から二条のマスキングテープ１４、１４が交叉することで形成されるコーナー部分１３の形状とほぼ同等の大きさ及び形状を有し、裏面に接着手段２３が形成されているマスキングピース２１と、塗装作業の作業者が、作業着のポケット類に折り曲げることなく収めて作業中に使用可能な大きさ及び形状を有するとともに、上記マスキングピース２１を複数列、複数行剥離可能に貼り付けるための、剥離面２４をその一面に有する台紙２２とから構成されている。
【００１６】
上記マスキングピース２１は紙製品から成り、例えば、１個のマスキングピース２１は３３×３３ｍｍの大きさの正方形に形成されている。３３ｍｍという寸法は一例であり、本考案を限定的に利用されるべきではない。しかしながら、市販のマスキングテープ類の幅や、それを貼り付ける窓枠１０等の幅などとも適合し易い寸法であり、数値として或る程度の合理性を持っているともいえる。
【００１７】
実施形態におけるマスキングピース２１は、和紙を材料とする薄いフィルムから成り、接着手段２３としてアクリル系粘着剤の層を形成したもので、シーリング用マスキングテープＧ−９１Ｒｅ（商品名）という市販品である。その物性表を以下に示す。
表１
0003188216.tif 000003
【００１８】
上記物性は一例であり、この数値に限定するものではない。しかし、主成分の和紙は生分解性を有し、有害成分を含まない素材であり、台紙２２から剥がし易く、指先で摘んだときにも丸まらず、平面性を保ち、作業性が良好である。なお、薄片の厚さによる称呼は１００分の１インチ（約０．２５ｍｍ）より厚いものをシート、薄いものをフィルムと呼ぶ通例に従っている。
【００１９】
実施形態における、台紙２２はマスキングピース２１よりは厚いシート材製で、剥離面２４が表面全面に形成されている。その剥離面２４に、前記の大きさのマスキングピース２１を２列、３行の配置で貼り付けている。このような例の場合、台紙２２はその幅が約８０ｍｍ、長さは約１４０ｍｍの長方形が適正な大きさとなる。男性用衣類の胸のポケットの大きさは実測で幅９０〜１００ｍｍ、深さ１００〜１２０ｍｍが一般的であるから、８０×１４０ｍｍという大きさの上記マスキングピースセット２０は余裕をもってポケットに収められるサイズである。
【００２０】
このような構成を有する上記マスキングピースセット２０の使用方法を図２により説明する。図２Ａは図１と同様に窓枠１０のコーナー部分１３を示しており、そこに、まず、本考案のマスキングピース２１を貼り付ける。この作業は、マスキングピース２１を台紙２２から剥がして貼り付けるだけであるから、熟練者でなくてもだれにでも行なえる作業である。作業後の状態を示したのが図２Ｂである。なお、マスキングピース２１をコーナー部分１３にややずれて貼ったとしても、塗装工程上ほとんど問題は生じない。
【００２１】
次に、マスキングテープ１４を窓枠１０の垂直部分１１に貼り付ける。このとき、マスキングテープ１４によりマスキングピース２１を覆って良い（図２Ｃ）。この後、マスキングテープ１４を水平部分１２に貼り付け、このときもマスキングピース２１は同様に覆うことになる（この状態が図２Ｄである。）。上記の説明では、マスキングピース２１をコーナー部分１３に貼り付け、マスキングテープ１４を垂直部分１１に貼り付けたあとで一旦切り離し、そのあとで水平部分１２に貼り付ける作業となる。
【００２２】
しかし、本考案のコーナー用マスキングピース２１を使用するとともに、図３に示したこれまでの作業手順と同様に、マスキングテープ１４の折り込み作業を行なっても良いことは明らかである。マスキングピース２１を使用することで、窓枠１０のコーナー部分１３が完全に覆われているから、これまでと同じ方法を実施してもコーナー部分１３のマスキングは完全に行なわれ、従って、塗装ダレなどの不具合を起こすこともない。
【００２３】
本考案によれば、このように容易にマスキング作業を実行することができ、その出来不出来という問題もほとんど起こらない。また、マスキングピース２１を貼り付けたときに位置が僅かにずれても塗装作業に影響しない。従って、作業効率を著しく向上することができる。なお、マスキング作業の後は通常必要な養生を行ない、塗装作業を実施する。
【図面の簡単な説明】
【００２４】
【図１】本考案に係るコーナー用マスキングピースセットの一例を示すもので、Ａは正面図、Ｂは側面図である。
【図２】同上のコーナー用マスキングピースの使用方法を、ＡＢＣＤの工程順に示す正面説明図である。
【図３】同これまでのコーナー用マスキングピースの使用方法を、ＡＢＣＤの工程順に示す正面説明図である。
【符号の説明】
【００２５】
１０  窓枠
１１  垂直部分
１２  水平部分
１３  コーナー部分
１４  マスキングテープ
１５  最初の折り曲げ線
１６  次の折り返し線
１７  粘着面
１８  領域
２０  コーナー用マスキングピースセット
２１  マスキングピース
２２  台紙
２３  接着手段
２４  剥離面
【図１】
0003188216.tif 000004
【図２】
0003188216.tif 000005
【図３】
0003188216.tif 000006